(57)【要約】【課題】磁気カードからの不正なデータの読み取りをより確実に防止する技術を提供する。【解決手段】磁気カードが挿入されるカード挿入口３０と、カード挿入口３０から挿入された磁気カードを搬送する搬送ローラ対３６と、搬送ローラ対３６により搬送された磁気カードからのデータの読み出しを行う磁気ヘッド対４０と、カード吸入動作時には磁気カードが目標位置に到達した場合に磁気カードが所定の第１の動きを示すように搬送ローラ対３６を制御し、カード排出動作時には磁気カードが目標位置と同一の位置に到達した場合に磁気カードが所定の第２の動きを示すように搬送ローラ対３６を制御する制御部２８と、を備える、自動取引装置１１が提供される。【選択図】図４
2015153132.tif 000002
【特許請求の範囲】
【請求項１】
磁気カードが挿入されるカード挿入口と、
前記カード挿入口から挿入された前記磁気カードを搬送する搬送ローラと、
前記搬送ローラにより搬送された前記磁気カードからのデータの読み出しを行う磁気ヘッドと、
カード吸入動作時には前記磁気カードが所定の位置に到達した場合に前記磁気カードが所定の第１の動きを示すように前記搬送ローラを制御し、カード排出動作時には前記磁気カードが前記所定の位置と同一の位置に到達した場合に前記磁気カードが所定の第２の動きを示すように前記搬送ローラを制御する制御部と、
を備える、自動取引装置。
【請求項２】
前記制御部は、前記カード吸入動作時には第１のセンサによる前記磁気カードの検出に基づいて前記磁気カードが前記所定の位置に到達したことを判断する、
請求項１に記載の自動取引装置。
【請求項３】
前記第１のセンサは、前記カード挿入口に最も近い第１の搬送ローラと搬送方向に同じ位置に設けられる、
請求項２に記載の自動取引装置。
【請求項４】
前記制御部は、前記カード排出動作時には第２のセンサによる前記磁気カードの検出に基づいて前記磁気カードが前記所定の位置に到達したことを判断する、
請求項３に記載の自動取引装置。
【請求項５】
前記第２のセンサは、前記第１のセンサを基準として前記カード挿入口とは搬送方向に反対側に設けられる、
請求項４に記載の自動取引装置。
【請求項６】
前記第１のセンサと前記第２のセンサとは、同列の位置に設けられる、
請求項５に記載の自動取引装置。
【請求項７】
前記所定の位置は、前記磁気カードの少なくとも一部が前記カード挿入口の外部に存在する位置である、
請求項１に記載の自動取引装置。
【請求項８】
前記所定の第１の動きは、一時停止、逆転搬送および搬送速度変動のうち少なくとも何れか一つを含む、
請求項１に記載の自動取引装置。
【請求項９】
前記制御部は、前回の取引時と今回の取引時とにおいて前記所定の位置が異なるように前記所定の位置を制御する、
請求項１に記載の自動取引装置。
【請求項１０】
前記制御部は、前記所定の第１の動きが前記所定の位置ごとに異なるように前記所定の第１の動きを制御する、
請求項１に記載の自動取引装置。
【発明の詳細な説明】
【技術分野】
【０００１】
本発明は、自動取引装置に関するものである。
【背景技術】
【０００２】
従来、自動取引装置においては、カード挿入口付近に配置された挿入検知センサにより磁気カードが挿入されたことが検知されると搬送ローラにより磁気カードを装置内部へ引き込み、装置内部に配置される磁気ヘッドにより磁気カードからデータの読み取りが行われる。取引終了後は、搬送ローラにより顧客が受け取り可能な位置まで磁気カードを排出する処理が行われる。
【０００３】
ここで、磁気カードから不正にデータを読み取ることを目的として、カード挿入口付近に磁気ヘッドや読み取り装置が取り付けられる場合がある。そこで、磁気カードからの不正なデータの読み取りを防止する技術が開示されている。例えば、カード搬送の途中において、磁気カードを一時停止させたり、磁気カードを逆転搬送させたり、磁気カードの搬送速度を変動させたりするようなカード搬送制御が行われる技術が開示されている（例えば、特許文献１参照）。
【先行技術文献】
【特許文献】
【０００４】
【特許文献１】特開２００４−１７１２０５号公報
【発明の概要】
【発明が解決しようとする課題】
【０００５】
しかしながら、磁気カードからの不正なデータの読み取りを行う技術は、今後ますます巧妙化していくことも予想される。そこで、本発明は、上記問題に鑑みてなされたものであり、本発明の目的とするところは、磁気カードからの不正なデータの読み取りをより確実に防止する技術を提供することにある。
【課題を解決するための手段】
【０００６】
上記問題を解決するために、本発明のある観点によれば、磁気カードが挿入されるカード挿入口と、前記カード挿入口から挿入された前記磁気カードを搬送する搬送ローラと、前記搬送ローラにより搬送された前記磁気カードからのデータの読み出しを行う磁気ヘッドと、カード吸入動作時には前記磁気カードが所定の位置に到達した場合に前記磁気カードが所定の第１の動きを示すように前記搬送ローラを制御し、カード排出動作時には前記磁気カードが前記所定の位置と同一の位置に到達した場合に前記磁気カードが所定の第２の動きを示すように前記搬送ローラを制御する制御部と、を備える、自動取引装置が提供される。
【０００７】
前記制御部は、前記カード吸入動作時には第１のセンサによる前記磁気カードの検出に基づいて前記磁気カードが前記所定の位置に到達したことを判断してよい。
【０００８】
前記第１のセンサは、前記カード挿入口に最も近い第１の搬送ローラと搬送方向に同じ位置に設けられてよい。
【０００９】
前記制御部は、前記カード排出動作時には第２のセンサによる前記磁気カードの検出に基づいて前記磁気カードが前記所定の位置に到達したことを判断してよい。
【００１０】
前記第２のセンサは、前記第１のセンサを基準として前記カード挿入口とは搬送方向に反対側に設けられてよい。
【００１１】
前記第１のセンサと前記第２のセンサとは、同列の位置に設けられてよい。
【００１２】
前記所定の位置は、前記磁気カードの少なくとも一部が前記カード挿入口の外部に存在する位置であってよい。
【００１３】
前記所定の第１の動きは、一時停止、逆転搬送および搬送速度変動のうち少なくとも何れか一つを含んでよい。
【００１４】
前記制御部は、前回の取引時と今回の取引時とにおいて前記所定の位置が異なるように前記所定の位置を制御してよい。
【００１５】
前記制御部は、前記所定の第１の動きが前記所定の位置ごとに異なるように前記所定の第１の動きを制御してよい。
【発明の効果】
【００１６】
以上説明したように本発明によれば、磁気カードからの不正なデータの読み取りをより確実に防止することが可能となる。
【図面の簡単な説明】
【００１７】
【図１】本発明の実施形態に係る自動取引装置の外観を示す図である。
【図２】自動取引装置の機能構成例を示すブロック図である。
【図３】カード取扱部の機能詳細を示す図である。
【図４】カード取扱部の構成例を示す側面図である。
【図５】カード取扱部の構成例を示す上面図である。
【図６】本発明の第１の実施形態に係る自動取引装置のカード吸入動作の流れを示すフローチャートである。
【図７】同実施形態に係る自動取引装置のカード排出動作の流れを示すフローチャートである。
【図８】本発明の第２の実施形態に係る自動取引装置によって使用されるテーブルの構成例を示す図である。
【図９】同実施形態に係る自動取引装置のカード吸入動作の流れを示すフローチャートである。
【図１０】同実施形態に係る自動取引装置のカード排出動作の流れを示すフローチャートである。
【図１１】本発明の第３の実施形態に係る自動取引装置のカード吸入動作の流れを示すフローチャートである。
【図１２】同実施形態に係る自動取引装置のカード排出動作の流れを示すフローチャートである。
【発明を実施するための形態】
【００１８】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１９】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００２０】
まず、本発明の実施形態に係る自動取引装置１１の全体構成の例について説明する。図１は、本発明の実施形態に係る自動取引装置１１の外観を示す図である。図２は、自動取引装置１１の機能構成例を示すブロック図である。図１および図２に示すように、本発明の実施形態に係る自動取引装置１１は、制御部１２と、カード・明細票取扱部１３と、通帳取扱部１４と、紙幣取扱部１５と、硬貨取扱部１６と、表示・入力部１７と、電源部１８とを備える。
【００２１】
制御部１２は、自動取引装置１１の動作全体を制御する機能を有する。例えば、制御部１２は、取引に際して必要に応じてホストコンピュータ１９との間でデータの送受信を行ってよい。カード・明細票取扱部１３は、明細票の印字、発行、回収、用紙自動補充機能などを有する。また、カード・明細票取扱部１３は、磁気カード、ＩＣ（ｉｎｔｅｇｒａｔｅｄ  ｃｉｒｃｕｉｔ）カードおよび振込カードそれぞれに対するデータ読み取り、データ書き込みなどを行う機能を有する。
【００２２】
カード・明細票取扱部１３は、ＩＣカードに対するアクセス、印字、発行、回収などの機能を備える。通帳取扱部１４は、通帳に対するデータ読み取り、データ書き込み、印字などを行う機能を有する。紙幣取扱部１５は、紙幣の預け入れ、払い出し、計数、真偽認識、回収などを行う機能を有する。硬貨取扱部１６は、硬貨の預け入れ、払い出し、計数、真偽認識、回収などを行う機能を有する。
【００２３】
表示・入力部１７は、顧客に対して取引に関する情報を表示する表示機能、入力操作を受け入れる入力機能などを有する。表示機能は、ＬＣＤ（Ｌｉｑｕｉｄ  Ｃｒｙｓｔａｌ  Ｄｉｓｐｌａｙ）などのディスプレイにより実現されてよい。また、入力機能は、タッチパネルなどの入力装置により実現されてよい。電源部１８は、電源２０から供給される電力を自動取引装置１１の各部に提供する。
【００２４】
以上、本発明の実施形態に係る自動取引装置１１の全体構成の例について説明した。続いて、カード・明細票取扱部１３の機能詳細について説明する。図３は、カード・明細票取扱部１３の機能詳細を示す図である。図３に示すように、カード・明細票取扱部１３は、カード取扱部２１と、カード印字部２２と、カード発行部２３と、カード取込部２４と、明細票印字部２５と、明細票供給部２６と、明細票取込部２７と、制御部２８とを備える。
【００２５】
カード取扱部２１は、自動取引装置１１の内部に吸入した磁気カードに対するデータの読み取り／書き込み、ＩＣカードに対するデータの読み取り／書き込み、カード表面のエンボスなどのイメージ読み取りなどを実施する。カード印字部２２は、振込カードの券面に印字を行う。カード発行部２３は、カードを装填部から繰り出して発行する。カード取込部２４は、顧客が取り忘れたカードなどを収納する。
【００２６】
明細票印字部２５は、明細票の印字、用紙の切断などを実施する。明細票供給部２６は、明細票の用紙を供給する。明細票取込部２７は、受け取りタイムアウトになった明細票、自動取引装置１１の障害情報、精査票、保守履歴票などを回収する。制御部２８は、カード・明細票取扱部１３の動作全体を制御する機能を有する。
【００２７】
以上、カード・明細票取扱部１３の機能詳細について説明した。続いて、カード取扱部２１の構成例について説明する。図４は、カード取扱部２１の構成例を示す側面図である。また、図５は、カード取扱部２１の構成例を示す上面図である。図４および図５に示すように、カード取扱部２１は、カード挿入口３０と、センサ３１〜３５と、搬送ローラ対３６〜３８と、シャッタ３９と、磁気ヘッド対４０とを備える。カード挿入口３０は、磁気カード４１の挿入口である。図４および図５には、磁気カード４１の搬送方向がｘ軸によって示されている。
【００２８】
センサ３１は、磁気カード４１の挿入を検知するための挿入検知センサとして機能し得る。また、センサ３２〜３５は、磁気カード４１を検出する。センサ３２〜３５による磁気カード４１の検出は、磁気カード４１の位置を算出するために用いられ得る。なお、本明細書においては、磁気カード４１の先端位置ｔが検出される場合を主に説明するが、位置が検出される箇所は、磁気カード４１の先端に限定されず、磁気カード４１の後端であってもよいし、磁気カード４１の他の箇所であってもよい。また、センサ３１〜３５の種類は、磁気カード４１を検出することが可能なセンサであれば特に限定されないが、例えば、フォトカプラであってもよい。
【００２９】
例えば、カード挿入口３０から磁気ヘッド対４０に向かう方向（以下、単に「吸入方向」とも言う。）に磁気カード４１が搬送されている場合、制御部２８は、磁気カード４１による遮光開始を検出したセンサの位置に磁気カード４１の先端位置ｔが到達したと判断することが可能である。一方、例えば、磁気ヘッド対４０からカード挿入口３０に向かう方向（以下、単に「排出方向」とも言う。）に磁気カード４１が搬送されている場合、制御部２８は、磁気カード４１による遮光終了を検出したセンサの位置に磁気カード４１の先端位置ｔが到達したと判断することが可能である。
【００３０】
搬送ローラ対３６〜３８は、カード挿入口３０から挿入された磁気カード４１を搬送する。図４に示すように、磁気カード４１の搬送には、対向して当接する複数のローラの間に磁気カード４１を挟んで送出する機構が用いられてよい。搬送ローラ対３６〜３８は、駆動モータによって駆動され得る。例えば、駆動モータは、ＤＣサーボモータまたはパルスモータによって構成されており、かかるモータの回転により搬送ローラ対３６〜３８を駆動してよい。例えば、駆動モータは、制御部２８による制御に従って、搬送ローラ対３６〜３８を駆動してよい。
【００３１】
最初に、カード取扱部２１の基本的な機能について説明する。まず、カード挿入口３０からカード取扱部２１の内部に磁気カード４１が挿入される。カード挿入口３０から挿入された磁気カード４１の先端位置ｔがセンサ３１によって検知されると、制御部２８は、シャッタ３９を開けるとともに吸入方向に磁気カード４１が搬送されるように搬送ローラ対３６〜３８の回転を開始させる（カード吸入動作が開始される）。磁気カード４１がシャッタ閉位置に到達すると、制御部２８はシャッタ３９を閉じる。シャッタ閉位置は特に限定されない。また、磁気カード４１が吸入完了位置に到達すると、制御部２８は搬送ローラ対３６〜３８を停止させる（カード吸入動作が完了される）。吸入完了位置は特に限定されない。
【００３２】
シャッタ３９が閉じられてから搬送ローラ対３６〜３８が停止されるまでの間には、磁気ヘッド対４０によって磁気カード４１からのデータの読み出しが行われる。また、磁気カード４１からエンボスイメージの読み取りがなされてもよい。磁気カード４１に対するデータの読み出しがなされた場合、磁気カード４１から読み出されたデータに基づいて自動取引装置１１において取引がなされてよい。なお、磁気カード４１からのデータ読み出しの代わりに、磁気ヘッド対４０によって磁気カード４１へのデータの書き込みがなされてもよい。
【００３３】
続いて、自動取引装置１１による取引が終了すると、制御部２８は、排出方向に磁気カード４１が搬送されるように搬送ローラ対３６〜３８の回転を開始させる（カード排出動作が開始される）。磁気カード４１がシャッタ開位置に到達すると、制御部２８はシャッタ３９を開ける。シャッタ開位置は特に限定されない。また、磁気カード４１が排出完了位置に到達すると、制御部２８は搬送ローラ対３６〜３８を停止させる。排出完了位置は特に限定されない。制御部２８は、磁気カード４１の受け取りがなされたことを確認した場合には、シャッタ３９を閉じる。例えば、磁気カード４１の受け取りは、センサ３１による磁気カード４１の先端の検知によって確認されてよい。
【００３４】
以上、カード取扱部２１の基本的な機能について説明した。ここで、磁気カード４１から不正にデータを読み取ることを目的として、カード挿入口３０の付近に磁気ヘッドや読み取り装置が取り付けられる場合がある。そして、磁気カード４１からの不正なデータの読み取りを行う技術は、今後ますます巧妙化していくことも予想される。そこで、本明細書においては、磁気カード４１からの不正なデータの読み取りをより確実に防止する技術を提案する。
【００３５】
＜第１の実施形態＞
まず、本発明の第１の実施形態について説明する。本発明の第１の実施形態において、図４に示したように、所定の位置（以下、「目標位置」とも言う。）があらかじめ設定される。そして、制御部２８は、カード吸入動作時には磁気カード４１の先端位置ｔが目標位置ｉに到達した場合に磁気カード４１が所定の第１の動き（以下、「カード吸入動作時における不正読み取り防止動作」とも言う。）を示すように搬送ローラ対３６を制御する。また、制御部２８は、カード排出動作時には磁気カード４１の先端位置ｔが目標位置ｉと同一の位置に到達した場合に磁気カード４１が所定の第２の動き（以下、「カード排出動作時における不正読み取り防止動作」とも言う。）を示すように搬送ローラ対３６を制御する。
【００３６】
かかる構成によれば、カード吸入動作時とカード排出動作時との双方において不正に磁気カード４１からデータが読み取られたとしても、何れの動作時においても読み取りが行われない位置を確保することができる。したがって、カード吸入動作時に不正に読み取られたデータとカード排出動作時に不正に読み取られたデータとを突き合わせたとしても、復元できないデータ（補完できないデータ）を設けることが可能になるため、磁気カード４１からの不正なデータの読み取りをより確実に防止することが可能となる。
【００３７】
カード吸入動作時における不正読み取り防止動作は特に限定されないが、一時停止、逆転搬送および搬送速度変動のうち少なくとも何れか一つを含んでよい。また、カード排出動作時における不正読み取り防止動作は特に限定されないが、一時停止、逆転搬送および搬送速度変動のうち少なくとも何れか一つを含んでよい。例えば、一時停止は、磁気カード４１を一時的に停止させてから再度移動させることであってよい。また、例えば、逆転搬送は、磁気カード４１の搬送方向を一時的に逆方向にしてから搬送方向を元に戻すことであってよい。また、例えば、搬送速度変動は、磁気カード４１の搬送速度を変動させることであってよい。なお、カード吸入動作時における不正読み取り防止動作とカード排出動作時における不正読み取り防止動作とは、同じであってもよいし、異なっていてもよい。
【００３８】
また、目標位置ｉは特に限定されないが、磁気カード４１の少なくとも一部がカード挿入口３０の外部に存在する位置であるとよい。カード挿入口３０の付近に磁気ヘッドや読み取り装置が取り付けられる可能性があることを考慮すると、磁気カード４１の少なくとも一部がカード挿入口３０の外部に存在する場合に、磁気カード４１からデータが不正に読み取られる可能性があるからである。なお、カード挿入口３０の外部に存在する部分は、磁気カード４１のうちデータが記録されている部分であればよい。
【００３９】
磁気カード４１の先端位置ｔが目標位置ｉに到達したことの判断は特に限定されない。例えば、制御部２８は、カード吸入動作時にはセンサ３２による磁気カード４１の先端位置ｔの検出に基づいて磁気カード４１の先端位置ｔが目標位置ｉに到達したことを判断してよい。例えば、センサ３２から所定の長さ（以下、「長さＡ」とも示す。）だけ吸入方向にシフトした位置が目標位置ｉとして設定されている場合を想定する。
【００４０】
かかる場合、制御部２８は、駆動モータの一回転当たりの搬送距離で長さＡを除して長さＡに相当する回転数を算出し、先端位置ｔがセンサ３２によって検出されてから当該回転数だけ吸入方向に駆動モータを回転させたときに、磁気カード４１の先端位置ｔが目標位置ｉに到達したことを判断してよい。なお、長さＡに相当する回転数があらかじめ算出されている場合には、制御部２８は、あらかじめ算出されている回転数を取得すればよいため、制御部２８による回転数の算出は省略されてよい。
【００４１】
センサ３２が設けられる位置は特に限定されない。しかし、センサ３２は、カード挿入口３０に最も近い搬送ローラ対３６と搬送方向に同じ位置に設けられるとよい。カード挿入口３０から挿入された磁気カード４１が少なくともカード挿入口３０に最も近い搬送ローラ対３６に到達した後でなければ、磁気カード４１の動きを制御することができないからである。図４に示した例では、センサ３２は、カード挿入口３０に最も近い搬送ローラ対３６と磁気カード４１の搬送方向に対して同じ位置に設けられている。
【００４２】
また、例えば、制御部２８は、カード排出動作時にはセンサ３３による磁気カード４１の先端位置ｔの検出に基づいて磁気カード４１の先端位置ｔが目標位置ｉに到達したことを判断してよい。例えば、センサ３３から所定の長さ（以下、「長さＡ＃」とも示す。）だけ排出方向にシフトした位置が目標位置ｉとして設定されている場合を想定する。
【００４３】
かかる場合、制御部２８は、駆動モータの一回転当たりの搬送距離で長さＡ＃を除して得られる回転数を算出し、先端位置ｔがセンサ３３によって検出されてから当該回転数だけ排出方向に駆動モータを回転させたときに、磁気カード４１の先端位置ｔが目標位置ｉに到達したことを判断してよい。制御部２８は、センサ３３の位置とセンサ３２の位置との距離から上記の長さＡを減じることによって長さＡ＃を算出してもよい。なお、長さＡ＃に相当する回転数があらかじめ算出されている場合には、制御部２８は、あらかじめ算出されている回転数を取得すればよいため、制御部２８による回転数の算出は省略されてよい。
【００４４】
センサ３３が設けられる位置は特に限定されない。しかし、センサ３３は、カード挿入口３０に最も近い搬送ローラ対３６を基準としてカード挿入口３０とは搬送方向に反対側に設けられるとよい。上記したように、カード挿入口３０から挿入された磁気カード４１が少なくともカード挿入口３０に最も近い搬送ローラ対３６に到達した後でなければ、磁気カード４１の動きを制御することができないからである。図４に示した例では、センサ３３は、カード挿入口３０に最も近い搬送ローラ対３６を基準としてカード挿入口３０とは搬送方向に反対側であり、かつ、センサ３２に最も近い位置に設けられている。
【００４５】
センサ３２とセンサ３３との位置関係は限定されないが、例えば、センサ３２とセンサ３３とは、同列の位置に設けられていてもよい。すなわち、センサ３２とセンサ３３とは、搬送方向に対して平行な関係となるように並べられていてもよい。図５を参照すると、磁気カード４１の幅方向に沿ってｙ軸が示されている。図５に示すように、センサ３２とセンサ３３とは、磁気カード４１の幅方向における位置が同一となるように設けられていてもよい。
【００４６】
以上、カード取扱部２１の構成例について説明した。続いて、本発明の第１の実施形態に係る自動取引装置１１のカード吸入動作の流れについて説明する。図６は、本発明の第１の実施形態に係る自動取引装置１１のカード吸入動作の流れを示すフローチャートである。なお、図６に示した例は、本発明の第１の実施形態に係る自動取引装置１１のカード吸入動作の流れの一例に過ぎない。したがって、本発明の第１の実施形態に係る自動取引装置１１のカード吸入動作の流れは、図６に示した例に限定されない。
【００４７】
図６に示すように、制御部２８は、磁気カード４１のカード挿入口３０への挿入が検知されない場合には（ステップＳ１において「Ｎｏ」）、ステップＳ１を再度実行する。一方、制御部２８は、磁気カード４１のカード挿入口３０への挿入が検知された場合には（ステップＳ１において「Ｙｅｓ」）、シャッタ３９を開ける（ステップＳ２）。上記したように、磁気カード４１のカード挿入口３０への挿入の検知は、センサ３１による磁気カード４１の先端の検知によってなされてよい。
【００４８】
続いて、制御部２８は、搬送ローラ対３６〜３８の吸入方向への回転を開始する。具体的には、制御部２８は、駆動モータを制御することによって搬送ローラ対３６〜３８の吸入方向への回転を開始する（ステップＳ３）。磁気カード４１は、搬送ローラ対３６に到達すると、搬送ローラ対３６の吸入方向への回転により吸入方向に搬送され、自動取引装置１１の内部に引き込まれる。
【００４９】
続いて、制御部２８は、センサ３２によって磁気カード４１の先端の通過が検出されない場合には（ステップＳ４において「Ｎｏ」）、ステップＳ４を再度実行する。一方、制御部２８は、センサ３２によって磁気カード４１の先端の通過が検出された場合には（ステップＳ４において「Ｙｅｓ」）、ステップＳ５に進む。上記したように、制御部２８は、センサ３２による検知に基づいて、磁気カード４１の先端が目標位置に到達したか否かを判断することができる。
【００５０】
続いて、制御部２８は、磁気カード４１の先端が目標位置に到達しない場合には（ステップＳ５において「Ｙｅｓ」）、ステップＳ５を再度実行する。一方、制御部２８は、磁気カード４１の先端が目標位置に到達した場合には（ステップＳ５において「Ｎｏ」）、磁気カード４１がカード吸入動作時における不正読み取り防止動作（例えば、一時停止、逆転搬送、搬送速度変動など）を示すように搬送ローラ対３６を制御する（ステップＳ６）。
【００５１】
搬送ローラ対３６をこのように制御した後は、磁気カード４１が所定速度で吸入方向に搬送される。制御部２８は、磁気カード４１の先端がシャッタ閉位置に到達しない場合には（ステップＳ７において「Ｎｏ」）、ステップＳ７を再度実行する。一方、制御部２８は、磁気カード４１の先端がシャッタ閉位置に到達した場合には（ステップＳ７において「Ｙｅｓ」）、シャッタ３９を閉じる（ステップＳ８）。
【００５２】
制御部２８は、磁気カード４１の先端が吸入完了位置に到達しない場合には（ステップＳ９において「Ｎｏ」）、ステップＳ９を再度実行する。一方、制御部２８は、磁気カード４１の先端が吸入完了位置に到達した場合には（ステップＳ９において「Ｙｅｓ」）、搬送ローラ対３６〜３８を停止させる（ステップＳ１０）。シャッタ３９が閉じられてから搬送ローラ対３６〜３８が停止されるまでの間には、磁気カード４１からのデータの読み出しが磁気ヘッド対４０によって行われる。また、磁気カード４１からエンボスイメージの読み取りがなされてもよい。
【００５３】
以上、本発明の第１の実施形態に係る自動取引装置１１のカード吸入動作の流れについて説明した。続いて、本発明の第１の実施形態に係る自動取引装置１１のカード排出動作の流れについて説明する。図７は、本発明の第１の実施形態に係る自動取引装置１１のカード排出動作の流れを示すフローチャートである。なお、図７に示した例は、本発明の第１の実施形態に係る自動取引装置１１のカード排出動作の流れの一例に過ぎない。したがって、本発明の第１の実施形態に係る自動取引装置１１のカード排出動作の流れは、図７に示した例に限定されない。
【００５４】
図７に示すように、制御部２８は、取引が終了すると、搬送ローラ対３６〜３８の排出方向への回転を開始する（ステップＳ１１）。磁気カード４１は排出方向に搬送される。制御部２８は、磁気カード４１の先端がシャッタ開位置に到達しない場合には（ステップＳ１２において「Ｎｏ」）、ステップＳ１２を再度実行する。一方、制御部２８は、磁気カード４１の先端がシャッタ開位置に到達した場合には（ステップＳ１２において「Ｙｅｓ」）、シャッタ３９を開ける（ステップＳ１３）。
【００５５】
続いて、制御部２８は、センサ３３によって磁気カード４１の先端の通過が検出されない場合には（ステップＳ１４において「Ｎｏ」）、ステップＳ１４を再度実行する。一方、制御部２８は、センサ３３によって磁気カード４１の先端の通過が検出された場合には（ステップＳ１４において「Ｙｅｓ」）、ステップＳ１５に進む。上記したように、制御部２８は、センサ３３による検知に基づいて、磁気カード４１の先端が目標位置に到達したか否かを判断することができる。
【００５６】
続いて、制御部２８は、磁気カード４１の先端が目標位置に到達しない場合には（ステップＳ１５において「Ｙｅｓ」）、ステップＳ１５を再度実行する。一方、制御部２８は、磁気カード４１の先端が目標位置に到達した場合には（ステップＳ１５において「Ｎｏ」）、磁気カード４１がカード排出動作時における不正読み取り防止動作（例えば、一時停止、逆転搬送、搬送速度変動など）を示すように搬送ローラ対３６を制御する（ステップＳ１６）。
【００５７】
搬送ローラ対３６をこのように制御した後は、磁気カード４１が所定速度で排出方向に搬送される。制御部２８は、磁気カード４１の先端が排出完了位置に到達しない場合には（ステップＳ１７において「Ｎｏ」）、ステップＳ１７を再度実行する。一方、制御部２８は、磁気カード４１の先端が排出完了位置に到達した場合には（ステップＳ１７において「Ｙｅｓ」）、搬送ローラ対３６〜３８を停止させる（ステップＳ１８）。搬送ローラ対３６〜３８が停止された後は、磁気カード４１の受け取り待ちの状態となる。
【００５８】
制御部２８は、磁気カード４１の受け取り待ちの状態において、磁気カード４１の受け取りがなされたことを確認しない場合には（ステップＳ１９において「Ｎｏ」）、ステップＳ１９を再度実行する。一方、制御部２８は、磁気カード４１の受け取りがなされたことを確認した場合には（ステップＳ１９において「Ｙｅｓ」）、シャッタ３９を閉じる（ステップＳ２０）。例えば、磁気カード４１の受け取りは、センサ３１による磁気カード４１の先端の検知によって確認されてよい。
【００５９】
以上、本発明の第１の実施形態に係る自動取引装置１１のカード排出動作の流れについて説明した。
【００６０】
＜第２の実施形態＞
続いて、本発明の第２の実施形態について説明する。本発明の第２の実施形態において本発明の第１の実施形態と同様の構成については説明を省略する。本発明の第２の実施形態においては、制御部２８は、前回の取引時と今回の取引時とにおいて目標位置が異なるように目標位置を制御する。かかる構成によれば、前回の取引時と今回の取引時とにおいて不正読み取り動作がなされる磁気カード４１の位置が異なるため、磁気カード４１からの不正なデータの読み取りをさらに確実に防止することが可能となる。
【００６１】
また、制御部２８は、前回の取引時と今回の取引時とにおいてカード吸入動作時における不正読み取り防止動作を異ならせてもよい。あるいは、制御部２８は、前回の取引時と今回の取引時とにおいてカード排出動作時における不正読み取り防止動作を異ならせてもよい。かかる構成によれば、前回の取引時と今回の取引時とにおいて磁気カード４１の動きが異なるため、磁気カード４１からの不正なデータの読み取りをさらに確実に防止することが可能となる。
【００６２】
また、制御部２８は、カード吸入動作時における不正読み取り防止動作が目標位置ごとに異なるようにカード吸入動作時における不正読み取り防止動作を制御してもよい。また、制御部２８は、カード排出動作時における不正読み取り防止動作が目標位置ごとに異なるようにカード排出動作時における不正読み取り防止動作を制御してもよい。かかる構成によれば、前回の取引時と今回の取引時とにおいて目標位置を異なれば不正読み取り動作も異なるようになるため、磁気カード４１からの不正なデータの読み取りをさらに確実に防止することが可能となる。
【００６３】
具体的な手法としては、制御部２８は、前回の取引時と今回の取引時とにおいて異なるデータをテーブルから取得し、取得したデータに基づいて目標位置を決定してもよいし、カード吸入動作時における不正読み取り防止動作を決定してもよいし、カード吸入動作時における不正読み取り防止動作を決定してもよい。図８は、本発明の第２の実施形態に係る自動取引装置１１によって使用されるテーブルの構成例を示す図である。図８を参照すると、目標位置の異なるデータが１００件登録されているが、データの件数は特に限定されない。
【００６４】
例えば、制御部２８は、取引が変わる度に次のデータをテーブルから取得し、取得したデータによって目標位置を決定すればよい。そうすれば、制御部２８は、前回の取引時と今回の取引時とにおいて目標位置が異なるように目標位置を制御することが可能となる。なお、図８を参照すると、カード吸入動作時における不正読み取り防止動作とカード排出動作時における不正読み取り防止動作とは同一となっているが、異なっていてもよい。また、図８に示したテーブルにおいては、カード吸入動作時における不正読み取り防止動作とカード排出動作時における不正読み取り防止動作とは、一時停止、逆転搬送および搬送速度変動をすべて含んでいるが、特に限定されない。
【００６５】
以上、カード取扱部２１の構成例について説明した。続いて、本発明の第２の実施形態に係る自動取引装置１１のカード吸入動作の流れについて説明する。図９は、本発明の第２の実施形態に係る自動取引装置１１のカード吸入動作の流れを示すフローチャートである。なお、図９に示した例は、本発明の第２の実施形態に係る自動取引装置１１のカード吸入動作の流れの一例に過ぎない。したがって、本発明の第２の実施形態に係る自動取引装置１１のカード吸入動作の流れは、図９に示した例に限定されない。
【００６６】
ここでは、本発明の第２の実施形態に係る自動取引装置１１のカード吸入動作の流れについて、図６を参照しながら説明した本発明の第１の実施形態に係る自動取引装置１１のカード吸入動作の流れと異なる点を主に説明する。まず、制御部２８は、テーブルからデータ（カード吸入動作時）を取得する（ステップＳ２１）。ここで、制御部２８によって取得されるデータは、前回取引時に取得されたデータとは異なるデータであり、前回取引時に取得されたデータの次のデータであってもよい。続いて、本発明の第１の実施形態と同様にステップＳ１以降の動作が実行される。
【００６７】
以上、本発明の第２の実施形態に係る自動取引装置１１のカード吸入動作の流れについて説明した。続いて、本発明の第２の実施形態に係る自動取引装置１１のカード排出動作の流れについて説明する。図１０は、本発明の第２の実施形態に係る自動取引装置１１のカード排出動作の流れを示すフローチャートである。なお、図１０に示した例は、本発明の第２の実施形態に係る自動取引装置１１のカード排出動作の流れの一例に過ぎない。したがって、本発明の第２の実施形態に係る自動取引装置１１のカード排出動作の流れは、図１０に示した例に限定されない。
【００６８】
ここでは、本発明の第２の実施形態に係る自動取引装置１１のカード排出動作の流れについて、図７を参照しながら説明した本発明の第１の実施形態に係る自動取引装置１１のカード排出動作の流れと異なる点を主に説明する。まず、制御部２８は、テーブルからカード吸入動作時に取得したデータに対応するカード排出動作時のデータを取得する（ステップＳ２２）。続いて、本発明の第１の実施形態と同様にステップＳ１１以降の動作が実行される。
【００６９】
以上、本発明の第２の実施形態に係る自動取引装置１１のカード排出動作の流れについて説明した。
【００７０】
＜第３の実施形態＞
続いて、本発明の第３の実施形態について説明する。本発明の第３の実施形態において本発明の第１の実施形態および本発明の第２の実施形態と同様の構成については説明を省略する。本発明の第３の実施形態においては、制御部２８は、ランダムに目標位置を決定する。かかる構成によれば、不正読み取り動作がなされる磁気カード４１の位置がランダムに決定されるため、磁気カード４１からの不正なデータの読み取りをさらに確実に防止することが可能となる。
【００７１】
また、制御部２８は、カード吸入動作時における不正読み取り防止動作をランダムに決定してもよい。あるいは、制御部２８は、カード排出動作時における不正読み取り防止動作をランダムに決定してもよい。かかる構成によれば、磁気カード４１の動きがランダムに決定されるため、磁気カード４１からの不正なデータの読み取りをさらに確実に防止することが可能となる。
【００７２】
具体的な手法としては、制御部２８は、テーブルからランダムにデータを取得し、取得したデータに基づいて目標位置を決定してもよいし、カード吸入動作時における不正読み取り防止動作を決定してもよいし、カード吸入動作時における不正読み取り防止動作を決定してもよい。例えば、制御部２８は、取引ごとにランダムにテーブルからデータを取得し、取得したデータによって目標位置を決定すればよい。そうすれば、制御部２８は、取引ごとにランダムに目標位置を決定することが可能となる。
【００７３】
テーブルから取得されるデータをランダムに決定する手法は特に限定されない。例えば、制御部２８は、カード挿入口３０から挿入された磁気カード４１の先端位置ｔがセンサ３１によって検知された時刻に基づいて、テーブルから取得されるデータを決定してもよい。また、制御部２８は、カード挿入口３０から挿入された磁気カード４１の先端位置ｔがセンサ３１によって検知された時刻に基づいてテーブル内のデータを並び替えてからデータを取得するようにしてもよい。
【００７４】
以上、カード取扱部２１の構成例について説明した。続いて、本発明の第３の実施形態に係る自動取引装置１１のカード吸入動作の流れについて説明する。図１１は、本発明の第３の実施形態に係る自動取引装置１１のカード吸入動作の流れを示すフローチャートである。なお、図１１に示した例は、本発明の第３の実施形態に係る自動取引装置１１のカード吸入動作の流れの一例に過ぎない。したがって、本発明の第３の実施形態に係る自動取引装置１１のカード吸入動作の流れは、図１１に示した例に限定されない。
【００７５】
ここでは、本発明の第３の実施形態に係る自動取引装置１１のカード吸入動作の流れについて、図６を参照しながら説明した本発明の第１の実施形態に係る自動取引装置１１のカード吸入動作の流れと異なる点を主に説明する。まず、制御部２８は、テーブルからランダムにデータ（カード吸入動作時）を取得する（ステップＳ２５）。テーブルから取得されるデータをランダムに決定する手法は特に限定されない。続いて、本発明の第１の実施形態と同様にステップＳ１以降の動作が実行される。
【００７６】
以上、本発明の第３の実施形態に係る自動取引装置１１のカード吸入動作の流れについて説明した。続いて、本発明の第３の実施形態に係る自動取引装置１１のカード排出動作の流れについて説明する。図１２は、本発明の第３の実施形態に係る自動取引装置１１のカード排出動作の流れを示すフローチャートである。なお、図１２に示した例は、本発明の第３の実施形態に係る自動取引装置１１のカード排出動作の流れの一例に過ぎない。したがって、本発明の第３の実施形態に係る自動取引装置１１のカード排出動作の流れは、図１２に示した例に限定されない。
【００７７】
ここでは、本発明の第３の実施形態に係る自動取引装置１１のカード排出動作の流れについて、図７を参照しながら説明した本発明の第１の実施形態に係る自動取引装置１１のカード排出動作の流れと異なる点を主に説明する。まず、制御部２８は、テーブルからカード吸入動作時に取得したデータに対応するカード排出動作時のデータを取得する（ステップＳ２６）。続いて、本発明の第１の実施形態と同様にステップＳ１１以降の動作が実行される。
【００７８】
以上、本発明の第３の実施形態に係る自動取引装置１１のカード排出動作の流れについて説明した。
【００７９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８０】
例えば、自動取引装置１１の動作全体を制御するための制御部１２は、専用のハードウェアによって構成されてもよいし、自動取引装置１１に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。
【００８１】
また、制御部２８は、専用のハードウェアによって構成されてもよいし、自動取引装置１１に内蔵されたＣＰＵがＲＯＭに記憶されたプログラムをＲＡＭに展開して実行することにより実現されてもよい。かかるプログラムが提供され得る他、かかるプログラムを記憶させた記憶媒体も提供され得る。
【００８２】
また、上記においては、カード吸入動作時における不正読み取り防止動作とカード排出動作時における不正読み取り防止動作とが１取引当たり１回ずつ行われる例を説明した。しかし、カード吸入動作時における不正読み取り防止動作とカード排出動作時における不正読み取り防止動作とが行われる回数は１取引当たり１回ずつでない場合であってもよい。かかる場合であっても、本発明の実施形態は、少なくともカード吸入動作時における不正読み取り防止動作１回とカード排出動作時における不正読み取り防止動作１回との組み合わせに対して有効に適用され得る。
【符号の説明】
【００８３】
１１    自動取引装置
１２    制御部
１３    カード・明細票取扱部
１４    通帳取扱部
１５    紙幣取扱部
１６    硬貨取扱部
１７    表示・入力部
１８    電源部
１９    ホストコンピュータ
２０    電源
２１    カード取扱部
２２    カード印字部
２３    カード発行部
２４    カード取込部
２５    明細票印字部
２６    明細票供給部
２７    明細票取込部
２８    制御部
３０    カード挿入口
３１〜３３  センサ
３６    搬送ローラ対
３９    シャッタ
４０    磁気ヘッド対
４１    磁気カード
ｔ      先端位置
ｉ      目標位置
【図１】
2015153132.tif 000003
【図２】
2015153132.tif 000004
【図３】
2015153132.tif 000005
【図４】
2015153132.tif 000006
【図５】
2015153132.tif 000007
【図６】
2015153132.tif 000008
【図７】
2015153132.tif 000009
【図８】
2015153132.tif 000010
【図９】
2015153132.tif 000011
【図１０】
2015153132.tif 000012
【図１１】
2015153132.tif 000013
【図１２】
2015153132.tif 000014